(57)【要約】【課題】引き紐がスムーズに平整的に捲き戻されるカーテンの捲き戻し構造を提供する。【解決手段】特に、カーテンの上レールの伝達レバー上に摺動スリーブが嵌設され、摺動スリーブが筒体の穴に軸設され、筒体の穴側に引き紐を通して摺動スリーブに固定するためのガイド穴が形成され、これにより、伝達レバーが回転する過程において、摺動スリーブにより引き紐を捲き戻し、また、ガイド穴から出る引き紐が摺動スリーブに位置する引き紐に対して抵当することにより、摺動スリーブが引き紐が捲き戻される過程において、筒体に対して摺動する。【選択図】図２
0003120805.tif 000002
【実用新案登録請求の範囲】
【請求項１】
主として、筒体と摺動スリーブとからなり、
当該筒体は、引き紐の位置に合わせて上レールの中に設けられ、穴がある構造であり、穴側に、ガイド穴が設けられ、
当該摺動スリーブは、上レールの伝達レバーに軸支されて穴を通すことにより軸設され、
上記の部品により、カーテンの引き紐が上レールの中の筒体のガイド穴から引き出され、当該引き紐の端部が摺動スリーブ上に固定され、伝達レバーに連動する摺動スリーブにより、引き紐を捲き戻し、また、ガイド穴から出る引き紐が、摺動スリーブに捲き戻された引き紐に抵当して、摺動スリーブが、同期に筒体に対して摺動して引き紐を捲き戻す、
ことを特徴とするカーテンの捲き戻し構造。
【請求項２】
筒体の穴とガイド穴との距離は、引き紐の紐径の半分以下であることを特徴とする請求項１に記載のカーテンの捲き戻し構造。
【請求項３】
摺動スリーブは、バネが配置され、バネの力により、摺動スリーブがスムーズに引き紐を釈放することと復位することを特徴とする請求項１に記載のカーテンの捲き戻し構造。
【請求項４】
筒体のガイド穴の開口端は、拡孔であることを特徴とする請求項１乃至３に記載の何れかの一つのカーテンの捲き戻し構造。
【請求項５】
筒体のガイド穴の経路は、湾曲位置にローラを設置することを特徴とする請求項１乃至３に記載の何れかの一つのカーテンの捲き戻し構造。
【請求項６】
筒体のガイド穴の経路は、直接に貫通することを特徴とする請求項１乃至３に記載の何れかの一つのカーテンの捲き戻し構造。
【考案の詳細な説明】
【技術分野】
【０００１】
本考案は、カーテンの捲き戻し構造に関し、特に、カーテン上レールの伝達レバー上に摺動スリーブが軸支され、また、当該摺動スリーブが、筒体の穴に軸設され、また、筒体の穴側に、引き紐を通して摺動スリーブに固定するためのガイド穴が形成され、これにより、引き紐がスムーズに平整的に捲き戻されるカーテンの捲き戻し構造に関する。
【背景技術】
【０００２】
カーテンは、上昇降下制御により、窓を覆う面積を変更する日よけ構造であり、上昇降下過程において、引き紐の捲き戻しが、スムーズであるかどうか、カーテンの操作安定性に影響を与え、一つのカーテンにある複数の引き紐が同期に捲き戻すことや釈放することができなければ、カーテンが、斜めになるや引き紐が引き止まれる問題になる。
【０００３】
既存の捲き戻し構造設計は、主として、スクリューロッドとスクリューホールとの螺着により、引き紐をスムーズに捲き戻し、しかしながら、引き紐をスムーズに捲き戻すことと釈放することができても、スクリューロッドとスクリューホールとの構造に製造コストが高いし、また、組み立て過程において、スクリューロッドをスクリューホールの所定の位置まで螺合しなければ機能を発揮できないため、組立てに時間や人力が掛かる。
【考案の開示】
【考案が解決しようとする課題】
【０００４】
本考案の目的は、引き紐がスムーズに捲き戻されることと釈放されることができるカーテンの捲き戻し構造を提供する。
【課題を解決するための手段】
【０００５】
本考案は、上記の目的を達成するため、カーテンの上レールの伝達レバー上に摺動スリーブが嵌設され、また、当該摺動スリーブが筒体の穴に軸設され、また、筒体の穴側に、引き紐を通して摺動スリーブに固定するためのガイド穴が形成され、これにより、伝達レバーが回転する過程において、摺動スリーブにより引き紐を捲き戻し、また、ガイド穴から出る引き紐が、摺動スリーブに位置する引き紐に対して抵当することにより、摺動スリーブが、引き紐が捲き戻される過程において、筒体に対して摺動し、これにより、引き紐がスムーズに平整的に捲き戻されるカーテンの捲き戻し構造である。
【考案を実施するための最良の形態】
【０００６】
本考案に係わるカーテンの捲き戻し構造は、主として、筒体３と摺動スリーブ４とからなる(図1のように)。
【０００７】
筒体３は、引き紐２の位置に合わせて上レール１の中に設けられ、穴３１がある構造であり、穴３１側に、ガイド穴３２が設けられる(図2のように)。
【０００８】
摺動スリーブ４は、上レール１の伝達レバー１１に軸支されて穴３１を通すことにより、軸設される。
【０００９】
上記の部品により、カーテンの引き紐２が上レール１の中の筒体３のガイド穴３２から引き出され(図3のように)、当該引き紐２の端部が摺動スリーブ４上に固定される。使用する時、伝達レバー１１上に軸支される摺動スリーブ４は、伝達レバー１１に伴って回転するため、摺動スリーブ４が回転する過程において、引き紐２に対して捲き戻し力が形成され、引き紐２が摺動スリーブ４の表面上に捲き戻され、また、引き紐２が筒体３のガイド穴３２を介して外部へ伸ばすため、また、ガイド穴３２が穴３１の近くに設置されるため、ガイド穴３２において、引き紐２が引き出されることにより、摺動スリーブ４に捲き戻された引き紐２に抵当し、そのため、連続的に引き紐２が捲き戻される時、摺動スリーブ４は、引き紐２が同期に抵当することにより、筒体３に対して摺動し(図4のように)、摺動スリーブ４により引き紐２が捲き戻されるとともに、摺動スリーブ４が、引き紐２の抵当により、移動され、そのため、引き紐２が、スムーズに且つ平整的に摺動スリーブ４に捲き戻される(引き紐２が捲き戻されることは、カーテンを引き上げることになる)。
【００１０】
また、引き紐２を釈放する操作により、カーテンの自重により、引き紐２が釈放され、また、重力により、引き紐２が逆方向に摺動スリーブ４を引張ることにより、摺動スリーブ４が筒体３に対して、元の位置に戻し、カーテンを下ろす目的が達成される。
【００１１】
また、本考案は、筒体３と摺動スリーブ４とが軸設される設計であるため、また、摺動スリーブ４が、伝達レバー１１に連動するため、カーテンが最も低い位置に下ろされた後、伝達レバー１１の回転方向が変化しないが、摺動スリーブ４が引き紐２を捲き戻することを開始し、そのため、伝達構造１１０の正方向や逆方向でカーテンを引き上げるか下ろすこと(図5のように)は、ユーザーの使用慣習によって変更でき、ユーザーにとってより満足的な考案である。
【００１２】
本考案に係わる引き紐２は、同期に摺動スリーブ４を抵当して筒体３に対して移動する設計であるため、筒体３の穴３１とガイド穴３２との距離は、引き紐２の紐径の半分以下であるのが好ましく、これにより、距離が大きいことによる引き紐２が重ね合うことを防止できる。
【００１３】
また、本考案に係わる筒体３のガイド穴３２の開口端は、拡孔３２１である設計(拡孔３２１が錐形状孔や円弧形状拡孔等である)であり、これにより、引き紐２が通し易いことと、捲くことにより順方向に抵当すること(図6のように)とが得られ、そして、ガイド穴３２において、引き紐２の摩擦抵抗が低下され、また、ガイド穴３２の経路の湾曲位置にローラ３２２を設置すること(図7のように)が好ましく、また、当該ガイド穴３２は、引き紐２を通し易いため、直接に貫通する設計にすれば、ガイド穴３２の成型がより簡単になる(図8のように)。
【００１４】
引き紐２を釈放する時、摺動スリーブ４の軸方向の移動が摩擦力により妨害されて、引き紐２の釈放が延遅される現象を防止するため、当該摺動スリーブ４は、バネ５が配置され、バネの力により、摺動スリーブ４が引き紐２を釈放することと同期に復位し(図9、10のように、当該バネ５は、伸ばされて摺動スリーブ４の端部や内部に設置されてもよく、圧縮されて摺動スリーブ４のもう一端に設置されてもよい)。
【図面の簡単な説明】
【００１５】
【図１】本考案の実施概念図
【図２】本考案の捲き戻し構造図
【図３】本考案の捲き戻し構造の平面図
【図４】本考案の捲き戻し構造の捲き戻し動作の概念図
【図５】本考案の捲き戻し構造の捲き戻し方向の参考図
【図６】本考案の筒体の他の構造図
【図７】本考案の筒体の更に他の構造図
【図８】本考案の筒体の更に他の構造図
【図９】本考案の摺動スリーブに配置されるバネの参考図
【図１０】本考案の摺動スリーブに配置されるバネの他の参考図
【符号の説明】
【００１６】
１            上レール
１１          伝達レバー
１１０        伝達構造
２            引き紐
３            筒体
３１          穴
３２          ガイド穴
３２１        拡孔
３２２        ローラ
４            摺動スリーブ
５            バネ
【図１】
0003120805.tif 000003
【図２】
0003120805.tif 000004
【図３】
0003120805.tif 000005
【図４】
0003120805.tif 000006
【図５】
0003120805.tif 000007
【図６】
0003120805.tif 000008
【図７】
0003120805.tif 000009
【図８】
0003120805.tif 000010
【図９】
0003120805.tif 000011
【図１０】
0003120805.tif 000012